(57)【要約】【課題】電源電圧の利用効率を高めることにより、偏平ＣＲＴに映像を表示させるために消費される電流を低減する。【解決手段】偏平ＣＲＴ１０に映像を表示させるための構成各部／回路として、安定化電源２が並列接続された垂直偏向回路８と、並列接続された映像増幅器３、同期分離回路４、高圧発生回路５、水平偏向回路６とを直列接続することにより、消費電流が大きいとされる垂直偏向回路の電圧降下と映像増幅器、同期分離回路、高圧発生回路、水平偏向回路の電圧降下との調整が可能となり、動作電源としての外部電源供給部１からの電源電圧の利用効率が高められ、消費電流を低減できる。【選択図】　図２
2004093880.tif 000002
【特許請求の範囲】
【請求項１】
外部電源供給部（１）より供給され安定化電源（２）を介して安定化された電源電圧を動作電源として、映像信号を増幅するための映像増幅器（３）、前記映像信号から同期信号を分離するための同期分離回路（４）、偏平ＣＲＴ（１０）のアノードへ印加する高圧を発生するための高圧発生回路（５）、前記映像信号を水平偏向するように水平偏向ヨーク（１１）へ水平偏向電流を印加するための水平偏向回路（６）、前記映像信号を垂直偏向および垂直シフトするように垂直偏向ヨーク（１２）へ垂直偏向電流および垂直シフト電流を印加するための垂直偏向回路（８）から構成され、
前記垂直偏向回路と並列接続または直並列接続された前記映像増幅器、前記同期分離回路、前記高圧発生回路、前記水平偏向回路とを直列接続するとともに、前記垂直偏向回路の電圧降下と前記映像増幅器、前記同期分離回路、前記高圧発生回路、前記水平偏向回路の電圧降下とを調整させるため、前記垂直偏向回路に前記安定化電源を並列接続することを特徴とする偏平ＣＲＴ型映像表示装置。
【発明の詳細な説明】
【０００１】
【発明の属する技術分野】
本発明は偏平ＣＲＴ型映像表示装置に係り、特に、動作電源としての電源電圧の利用効率を高めた偏平ＣＲＴ型映像表示装置に関する。
【０００２】
【従来の技術】
従来から、図４のブロック図に示す構成の偏平ＣＲＴ型映像表示装置が提案されている。
【０００３】
図４のブロック図に示す偏平ＣＲＴ型映像表示装置において、安定化電源５２の受電側には外部電源供給部５１が接続されており、この安定化電源５２の給電側には映像増幅器５３、同期分離回路５４、高圧発生回路５５、水平偏向回路５６、垂直偏向回路５７のそれぞれの受電側が接続されている。また、映像増幅器５３の出力（信号出力）側には同期分離回路５４、加算回路５８のそれぞれの入力（信号入力）側が接続されている。また、同期分離回路５４の出力（信号出力）側には高圧発生回路５５、水平偏向回路５６、垂直偏向回路５７のそれぞれの入力（信号入力）側が接続されている。また、高圧発生回路５５の給電側には映像増幅器５３、水平偏向回路５６、加算回路５８のそれぞれの受電側と偏平ＣＲＴ５９のグリッド（グリッド電極）を構成するＧ２電極、Ｇ３電極、カソード（カソード電極）を構成するＨ１、Ｈ２電極、アノード（アノード電極）を構成するＨｖ電極の各電極とが接続されている。また、水平偏向回路５６の給電側には、水平偏向ヨーク６０の受電側が接続されている。また、垂直偏向回路５７の給電側には、垂直偏向ヨーク６１の受電側が接続されている。さらに、加算回路５８の出力（信号出力）側には、偏平ＣＲＴ５９のグリッド（グリッド電極）を構成するＧ１電極が接続されている。
【０００４】
図５は、従来例の偏平ＣＲＴ型映像表示装置の構成を示す等価ブロック図であり、外部電源供給部５１を構成する電極５１ａの（＋）極側には、垂直偏向回路５７（図示せず）より構成される第１の映像処理部７０の一端と、映像増幅器５３、同期分離回路５４、高圧発生回路５５、水平偏向回路５６、加算回路５８、偏平ＣＲＴ５９、水平偏向ヨーク６０、垂直偏向ヨーク６１（以上、図示せず）より構成される第２の映像処理部７１の一端とが安定化電源５２を介してそれぞれ並列接続されており、この電極５１ａの（−）極側には、第１、第２の各映像処理部７０、７１の他端が接続されている。
【０００５】
このように構成された従来例の偏平ＣＲＴ型映像表示装置において、図５の等価ブロック図に示す外部電源供給部５１を構成する電極５１ａにて発生される電源電圧Ｖ５１は、安定化電源５２を介して所定の電源電圧に安定化され、安定化された電源電圧は、第１の映像処理部７０を構成する垂直偏向回路５７と第２の映像処理部７１を構成する映像増幅器５３、同期分離回路５４、高圧発生回路５５、水平偏向回路５６、加算回路５８、偏平ＣＲＴ５９、水平偏向ヨーク６０、垂直偏向ヨーク６１とにそれぞれ供給され、第１、第２の各映像処理部７０、７１を駆動させるための動作電源となる。
【０００６】
【発明が解決しようとする課題】
しかしながら、図５の等価ブロック図に示す第１、第２の各映像処理部７０、７１が駆動している状態、すなわち、図４のブロック図に示す偏平ＣＲＴ５９に映像が表示されている状態（詳述せず）において、第１、第２の各映像処理部７０、７１にて消費される電流をそれぞれ消費電流Ｉ６１、Ｉ６２とすると、当該装置全体にて消費される電流、すなわち、安定化電源５２を介して外部電源供給部５１より供給される総消費電流Ｉ５１はＩ５１＝Ｉ６１＋Ｉ６２で表され、ゆえに、当該装置全体にて消費される電力Ｐ５１はＰ５１＝Ｖ５１・Ｉ５１＝Ｖ５１・（Ｉ６１＋Ｉ６２）となるように、（消費電流が大きいとされる）第１の映像処理部７０を構成する垂直偏向回路５７が電圧降下した場合、第２の映像処理部７２を構成する映像増幅器５３、同期分離回路５４、高圧発生回路５５、水平偏向回路５６、加算回路５８、偏平ＣＲＴ５９、水平偏向回路６０、垂直偏向回路６１の電圧降下との調整ができず、総消費電流Ｉ５１を低減することが困難であった。
【０００７】
本発明は、上述の難点を解消するためになされたもので、電源電圧の利用効率を高めることにより、偏平ＣＲＴに映像を表示させるために消費される電流を低減できる偏平ＣＲＴ型映像表示装置を提供することを目的としている。
【０００８】
【課題を解決するための手段】
上述の目的を達成するため、本発明の偏平ＣＲＴ型映像表示装置は、外部電源供給部より供給され安定化電源を介して安定化された電源電圧を動作電源として、映像信号を増幅するための映像増幅器、映像信号から同期信号を分離するための同期分離回路、偏平ＣＲＴのアノードへ印加する高圧を発生するための高圧発生回路、映像信号を水平偏向するように水平偏向ヨークへ水平偏向電流を印加するための水平偏向回路、映像信号を垂直偏向および垂直シフトするように垂直偏向ヨークへ垂直偏向電流および垂直シフト電流を印加するための垂直偏向回路から構成される。また、垂直偏向回路と並列接続または直並列接続された映像増幅器、同期分離回路、高圧発生回路、水平偏向回路とを直列接続するとともに、垂直偏向回路の電圧降下と映像増幅器、同期分離回路、高圧発生回路、水平偏向回路の電圧降下とを調整させるため、垂直偏向回路に安定化電源を並列接続するものである。
【０００９】
このような偏平ＣＲＴ型映像表示装置によれば、偏平ＣＲＴに映像を表示させるための構成各部／回路として、安定化電源が並列接続され、電圧変動の影響を受けずに動作する垂直偏向回路と、並列接続または直並列接続された映像増幅器、同期分離回路、高圧発生回路、水平偏向回路とを直列接続することにより、消費電流が大きいとされる垂直偏向回路の電圧降下と映像増幅器、同期分離回路、高圧発生回路、水平偏向回路の電圧降下との調整が可能となり、動作電源としての外部電源供給部からの電源電圧の利用効率が高められ、消費電流を低減できる。
【００１０】
【発明の実施の形態】
以下、本発明の偏平ＣＲＴ型映像表示装置を適用した好ましい形態の実施例について、図面を参照して説明する。
【００１１】
図１は、本発明の実施例による偏平ＣＲＴ型映像表示装置の構成を示すブロック図である。
【００１２】
図１のブロック図に示す偏平ＣＲＴ型映像表示装置は、（電池や商用電源等の）外部電源供給部１からの電源電圧を安定化させるための安定化電源２と、安定化電源２を介して安定化された電源電圧とともに後述する高圧発生回路５にて発生された高圧（高圧電流）が印加され、これらが動作電源となり、映像信号を増幅するための映像増幅器３と、安定化電源２を介して安定化された電源電圧が動作電源となり、映像信号に合成されている水平同期信号、垂直同期信号を当該映像信号からそれぞれ分離するための同期分離回路４と、安定化電源２を介して安定化された電源電圧が動作電源となるとともに同期分離回路４を介して分離された水平同期信号が印加され、高圧（高圧電流）を発生するための高圧発生回路５と、高圧発生回路５にて発生された高圧（高圧電流）が動作電源となり、後述する水平偏向ヨーク１１を駆動させる水平偏向電流を発生するための水平偏向回路６と、安定化電源２を介して安定化された電源電圧が動作電源となるとともに同期分離回路４を介して分離された垂直同期信号が印加され、後述する垂直偏向回路８を駆動させる垂直偏向信号を出力するための垂直偏向用電流増幅器７と、外部電源供給部１からの電源電圧が動作電源となるとともに垂直偏向用電流増幅器７からの垂直偏向信号が印加され、後述する垂直偏向ヨーク１２を駆動させる垂直偏向電流および垂直シフト電流を発生するための垂直偏向回路８と、映像増幅器３を介して増幅された映像信号に高圧発生回路５にて発生された高圧（高圧電流）を加算するための加算回路９と、グリッド（グリッド電極）を構成するＧ２電極、Ｇ３電極、カソード（カソード電極）を構成するＨ１、Ｈ２電極、アノード（アノード電極）を構成するＨｖ電極の各電極に印加される高圧発生回路５にて発生された高圧（高圧電流）が動作電源となり、同グリッド（グリッド電極）を構成するＧ１電極に印加される加算回路９からの映像信号に基づいて映像の表示を行うための偏平ＣＲＴ１０と、水平偏向回路６からの水平偏向電流が動作電源となり、偏平ＣＲＴ１０に表示される映像を水平偏向するための水平偏向ヨーク１１と、垂直偏向回路８からの垂直偏向電流および垂直シフト電流が動作電源となり、偏平ＣＲＴ１０に表示される映像を垂直偏向および垂直シフトするための垂直偏向ヨーク１２とで構成されている。
【００１３】
図２は、本発明の実施例による偏平ＣＲＴ型映像表示装置の具体的な構成／接続の一例を示すブロック図である。
【００１４】
図２のブロック図に示す偏平ＣＲＴ型映像表示装置は、外部電源供給部１を構成する電極１ａと、垂直偏向回路８より構成される第１の映像処理部２０と、並列接続された映像増幅器３、同期分離回路４、高圧発生回路５、水平偏向回路６、垂直偏向用電流増幅器７、加算回路９、偏平ＣＲＴ１０、水平偏向ヨーク１１、垂直偏向ヨーク１２より構成される第２の映像処理部２１と、第１の映像処理部２０の両端間に並列接続された安定化電源２より構成されるバランス抵抗２２とで構成されており、第１、第２の各映像処理部２０、２１は、外部電源供給部１を構成する電極１ａの（＋）極、（−）極の両極間に直列接続されている。
【００１５】
このように構成された本発明の実施例による偏平ＣＲＴ型映像表示装置において、以下、具体的な動作について説明する。
【００１６】
図２のブロック図において、外部電源供給部１を構成する電極１ａにて発生される電源電圧Ｖ１は、安定化電源２より構成されるバランス抵抗２２を介して安定化され、安定化された電源電圧は、第１の映像処理部２０を構成する垂直偏向回路８と当該第１の映像処理部を介した第２の映像処理部２１を構成する並列接続された映像増幅器３、同期分離回路４、高圧発生回路５、水平偏向回路６、垂直偏向用電流増幅器７、加算回路９、偏平ＣＲＴ１０、水平偏向ヨーク１１、垂直偏向ヨーク１２とにそれぞれ供給され、第１、第２の各映像処理部２０、２１を駆動させるための動作電源となる。
【００１７】
ここで、図１のブロック図において、上述のように図２のブロック図に示す第１、第２の各映像処理部２０、２１が駆動している状態における映像増幅器３は、映像信号を所定の信号レベルまで増幅させた後、この映像信号を同期分離回路４、加算回路９にそれぞれ出力する。また、映像増幅器３からの映像信号が入力された同期分離回路４は、映像信号に合成されている水平同期信号、垂直同期信号を当該映像信号から分離させ、水平同期信号は高圧発生回路５、水平偏向回路６に、垂直同期信号は垂直偏向用電流増幅器７にそれぞれ出力する。また、同期分離回路４からの水平同期信号が入力された高圧発生回路５は、高圧（高圧電流）を発生する。この高圧（高圧電流）は、映像増幅器３、水平偏向回路６、加算回路９および偏平ＣＲＴ１０のグリッド（グリッド電極）を構成するＧ２電極、Ｇ３電極、カソード（カソード電極）を構成するＨ１、Ｈ２電極、アノード（アノード電極）を構成するＨｖ電極の各電極にそれぞれ印加される。また、同期分離回路４からの水平同期信号が入力され、併せて安定化電源２からの電源電圧、高圧発生回路５からの高圧（高圧電流）としての水平偏向用電源がそれぞれ印加された水平偏向回路６は、水平偏向ヨーク１１に水平偏向電流を印加して当該水平偏向ヨークを駆動させる、すなわち、偏平ＣＲＴ１０に表示される映像の水平偏向を可能とする。また、同期分離回路４からの垂直同期信号が入力され、併せて安定化電源２からの電源電圧が印加された垂直偏向用電流増幅器７は垂直偏向信号を出力し、この垂直偏向信号が入力された垂直偏向回路８は、安定化電源２からの電源電圧が動作電源となり、垂直偏向ヨーク１２に垂直偏向電流および垂直シフト電流を印加して当該水平偏向ヨークを駆動させる、すなわち、偏平ＣＲＴ１０に表示される映像の垂直偏向および垂直シフトを可能とする。さらに、加算回路９は、映像増幅器３からの映像信号と高圧発生回路５からの高圧（高圧電流）とを加算して偏平ＣＲＴ１０に出力することにより、アノード（アノード電極）を構成するＧ１電極に加算回路９からの映像信号が印加された偏平ＣＲＴ１０には、水平偏向ヨーク１１および垂直偏向ヨーク１２の動作に起因した映像が表示される。
【００１８】
次に、図２のブロック図に示す第１、第２の各映像処理部２０、２１が駆動している状態、すなわち、上述のように図１のブロック図に示す偏平ＣＲＴ１０に映像が表示されている状態において、第１の映像処理部２０を構成する垂直偏向回路８にて消費される電流を第１の消費電流Ｉ１１とし、第２の映像処理部２１を構成する映像増幅器３、同期分離回路４、高圧発生回路５、水平偏向回路６、垂直偏向用電流増幅器７、加算回路９、偏平ＣＲＴ１０、水平偏向ヨーク１１、垂直偏向ヨーク１２にてそれぞれ消費される電流の総和を第２の消費電流Ｉ１２とすると、これら消費電流Ｉ１１、Ｉ１２がＩ１１＝Ｉ１２の関係を有しているならば、当該装置全体にて消費される電流、すなわち、外部電源供給部１より供給される総消費電流Ｉ１はＩ１＝Ｉ１１＝Ｉ１２で表され、ゆえに、当該装置全体にて消費される電力Ｐ１はＰ＝Ｖ１・Ｉ１＝Ｖ１・Ｉ１１＝Ｖ１・Ｉ１２となるように、従来例の総消費電流Ｉ５１、消費電力Ｐ５１と比較して当該総消費電流および消費電力は１／２となり省電力化が図れる。また、第１の映像処理部２０の消費電流Ｉ１１と第２の映像処理部２１の消費電流Ｉ１２とが一致しない、例えば、第２の映像処理部２１の消費電流Ｉ１２が第１の映像処理部２０の消費電流Ｉ１１よりも大きい場合には、これら消費電流Ｉ１１、Ｉ１２の差分電流Ｉ２（＝Ｉ１２−Ｉ１１）、すなわち、（消費電流が大きいとされる）第１の映像処理部２０を構成する垂直偏向回路８の電圧降下と第２の映像処理部２１を構成する並列接続された映像増幅器３、同期分離回路４、高圧発生回路５、水平偏向回路７、加算回路９、偏平ＣＲＴ１０、水平偏向ヨーク１１、垂直偏向ヨーク１２の電圧降下とを、第１の映像処理部２０を構成する垂直偏向回路８に並列接続された安定化電源２より構成されるバランス抵抗２２を介して調整することにより、外部電源供給部１より供給される総消費電流Ｉ１はＩ１＝Ｉ１２（第２の消費電流）となり、第１の映像処理部２０を構成する垂直偏向回路８にて消費される第１の消費電流Ｉ１１だけ当該消費電流を低減でき、省電力化が図れる。
【００１９】
なお、本発明の実施例による偏平ＣＲＴ型映像表示装置では、外部電源供給部１を構成する電極１ａの（＋）極、（−）極の両極間に直列接続される第１、第２の各映像処理部２０、２１のうち、第２の映像処理部２１を構成する映像増幅器３、同期分離回路４、高圧発生回路５、水平偏向回路６、垂直偏向用電流増幅器７、加算回路９、偏平ＣＲＴ１０、水平偏向ヨーク１１、垂直偏向ヨーク１２を、図２のブロック図に示すようにそれぞれ並列接続させたが、当該第２の映像処理部を構成する各部／回路の接続形態は上述の並列接続に限定されず、第２の映像処理部２１を構成する映像増幅器３、同期分離回路４、高圧発生回路５、水平偏向回路６、垂直偏向用電流増幅器７、加算回路９、偏平ＣＲＴ１０、水平偏向ヨーク１１、垂直偏向ヨーク１２を任意に直並列接続させる、例えば、図３のブロック図に示すように、映像増幅器３、同期分離回路４、高圧発生回路５、水平偏向回路６、垂直偏向用電流増幅器７、加算回路９、偏平ＣＲＴ１０をそれぞれ直列接続するとともに水平偏向ヨーク１１、垂直偏向ヨーク１２を並列接続させ、直列接続された映像増幅器３、同期分離回路４、高圧発生回路５、水平偏向回路６、垂直偏向用電流増幅器７、加算回路９、偏平ＣＲＴ１０に安定化電源２より構成されるバランス抵抗２２を並列接続することも可能であり、この構成例においても、上述の並列構成例と同様、第１の映像処理部２０を構成する垂直偏向回路８の電圧降下と第２の映像処理部２１を構成する直並列接続された映像増幅器３、同期分離回路４、高圧発生回路５、水平偏向回路６、垂直偏向用電流増幅器７、加算回路９、偏平ＣＲＴ１０、水平偏向ヨーク１１、垂直偏向ヨーク１２との電圧降下とを、第１の映像処理部２０を構成する垂直偏向回路８に並列接続された安定化電源２より構成されるバランス抵抗２２を介して調整でき、外部電源供給部１より供給される総消費電流Ｉ１はＩ１＝Ｉ１２（第２の消費電流）となり、第１の映像処理部２０を構成する垂直偏向回路８にて消費される第１の消費電流Ｉ１１だけ当該消費電流を低減でき、省電力化が図れる。
【００２０】
【発明の効果】
以上の説明から明らかなように、本発明の偏平ＣＲＴ型映像表示装置によれば、偏平ＣＲＴに映像を表示させる際に駆動される異なる回路ブロックにて発生する電圧降下の差分が調整され消費電流を低減できることにより、動作電源としての電源電圧の利用効率が高められる。
【図面の簡単な説明】
【図１】本発明の実施例による偏平ＣＲＴ型映像表示装置の構成を示すブロックである。
【図２】本発明の実施例による偏平ＣＲＴ型映像表示装置の具体的な構成／接続の一例を示すブロック図である。
【図３】本発明の実施例による偏平ＣＲＴ型映像表示装置の具体的な構成／接続の他の例を示すブロック図である。
【図４】従来例の偏平ＣＲＴ型映像表示装置の構成を示すブロックである。
【図５】従来例の偏平ＣＲＴ型映像表示装置の構成を示す等価ブロック図である。
【符号の説明】
１・・・・・外部電源供給部
２・・・・・安定化電源
３・・・・・映像増幅器
４・・・・・同期分離回路
５・・・・・高圧発生回路
６・・・・・水平偏向回路
８・・・・・垂直偏向回路
１０・・・・・偏平ＣＲＴ
１１・・・・・水平偏向ヨーク
１２・・・・・垂直偏向ヨーク
【図１】
2004093880.tif 000003
【図２】
2004093880.tif 000004
【図３】
2004093880.tif 000005
【図４】
2004093880.tif 000006
【図５】
2004093880.tif 000007